(57)【要約】【課題】無瞬断切り替えが必要な光伝送路に用いる装置コストを低減して、経済性の高い無瞬断切替装置を提供すること。【解決手段】位相制御回路１０８ａが、外部から入力される切替指示、自系のフレーム位相情報、および他系のフレーム位相情報に基づいて自系が受信したＯＴＮフレームの位相を他系が受信したＯＴＮフレームの位相に整合させ、選択回路１０９ａが、自系が受信したＯＴＮフレーム、または他系が受信したＯＴＮフレームを選択する現用系光トランスポンダ１０ａに、インタフェースコネクタ１１０ａを備え、現用系伝送路２と予備系伝送路３とを切り替える必要があるときだけ現用系光トランスポンダ１０ａと同一構成の予備系光トランスポンダ１０ｂをインタフェースコネクタ１１０ａ，１１０ｂを用いて接続する。【選択図】        図３
2006041921.tif 000002
【特許請求の範囲】
【請求項１】
クライアント信号をＯＴＮフレームにマッピングして光伝送路を用いて通信を行う光トランスポンダを２重化して無瞬断切り替えを行う無瞬断切替装置において、
前記光トランスポンダは、
他系の光トランスポンダとのインタフェース機能を有し、無瞬断切り替えを行う際に他系の光トランスポンダと接続されるインタフェースコネクタと、
前記クライアント信号を前記ＯＴＮフレームのクライアント領域にマッピングするとともに、第１の選択回路によって選択されたＯＴＮフレームからクライアント信号を抽出するマッピング回路と、
このマッピング回路によってクライアント信号がマッピングされたＯＴＮフレームにオーバヘッドを付加するとともに、自系が用いる前記光伝送路から受信したＯＴＮフレームにオーバヘッドの受信処理を施してフレーム位相情報を抽出するオーバヘッド生成終端回路と、
このオーバヘッド生成終端回路によってオーバヘッドの受信処理が施されたＯＴＮフレームを記憶するメモリと、
外部から入力される切替指示、自系のフレーム位相情報、および他系から入力されるフレーム位相情報に基づいて前記メモリに記憶されているＯＴＮフレームを読み出す位相を制御する位相制御回路と、
前記切替指示に基づいて自系のメモリから読み出されたＯＴＮフレーム、または他系のメモリから読み出されたＯＴＮフレームを選択する前記第１の選択回路と、
前記切替指示に基づいて自系のオーバヘッド終端回路によってオーバヘッドが付加されたＯＴＮフレーム、または他系のオーバヘッド終端回路によってオーバヘッドが付加されたＯＴＮフレームを前記光伝送路に送信するＯＴＮフレームとして選択する第２の選択回路と、
を備えることを特徴とする無瞬断切替装置。
【請求項２】
現用系光伝送路および予備系光伝送路とによって２重化された光伝送路の一方を用いて通信を行う光通信ネットワークに適用され、前記現用系光伝送路に対応する現用系光トランスポンダおよび前記予備系光伝送路に対応する予備系光トランスポンダを備え、前記現用系光伝送路と前記予備系光伝送路とを無瞬断で切り替える無瞬断切替装置において、
前記現用系光トランスポンダは、
クライアント信号をＯＴＮフレームのクライアント領域にマッピングするとともに、第１の選択回路によって選択されたＯＴＮフレームからクライアント信号を抽出するマッピング回路と、
このマッピング回路によってクライアント信号がマッピングされたＯＴＮフレームにオーバヘッドを付加するとともに、前記現用系光伝送路から受信したＯＴＮフレームにオーバヘッドの受信処理を施してフレーム位相情報を抽出するオーバヘッド生成終端回路と、
外部から入力される切替指示に基づいて前記オーバヘッド生成終端回路によってオーバヘッドの受信処理が施されたＯＴＮフレーム、または前記予備系光トランスポンダの第３の選択回路から入力されるオーバヘッドの受信処理が施されたＯＴＮフレームを選択する前記第１の選択回路と、
前記切替指示に基づいて自系のオーバヘッド生成終端回路によってオーバヘッドが付加されたＯＴＮフレーム、または前記予備系光トランスポンダのオーバヘッド生成終端回路によってオーバヘッドが付加されたＯＴＮフレームを前記現用系光伝送路に送信するＯＴＮフレームとして選択する第２の選択回路と、
を備え、
前記予備系光トランスポンダは、
クライアント信号をＯＴＮフレームのクライアント領域にマッピングするとともに、前記第３の選択回路によって選択されたＯＴＮフレームからクライアント信号を抽出するマッピング回路と、
このマッピング回路によってクライアント信号がマッピングされたＯＴＮフレームにオーバヘッドを付加するとともに、前記予備系光伝送路から受信したＯＴＮフレームにオーバヘッドの受信処理を施してフレーム位相情報を抽出するオーバヘッド生成終端回路と、
このオーバヘッド生成終端回路によってオーバヘッドの受信処理が施されたＯＴＮフレームを記憶する予備系メモリと、
前記現用系光トランスポンダのオーバヘッド生成終端回路によってオーバヘッドの受信処理が施されたＯＴＮフレームを記憶する現用系メモリと、
前記切替指示、前記現用系光トランスポンダのオーバヘッド生成終端回路によって抽出されたフレーム位相情報、および自系のオーバヘッド生成終端回路によって抽出されたフレーム位相情報に基づいて、前記現用系メモリおよび前記予備系メモリに記憶されているＯＴＮフレームを読み出す位相を制御する位相制御回路と、
前記現用系メモリに記憶されているＯＴＮフレーム、または前記予備系メモリに記憶されているＯＴＮフレームを選択する前記第３の選択回路と、
前記切替指示に基づいて自系のオーバヘッド生成終端回路によってオーバヘッドが付加されたＯＴＮフレーム、または前記現用系光トランスポンダのオーバヘッド生成終端回路によってオーバヘッドが付加されたＯＴＮフレームを前記予備系光伝送路に送信するＯＴＮフレームとして選択する第４の選択回路と、
を備えることを特徴とする無瞬断切替装置。
【請求項３】
無瞬断切り替えを行う必要がないクライアント信号を収容する場合には、前記現用系光トランスポンダのみを実装することを特徴とする請求項２に記載の無瞬断切替装置。
【請求項４】
前記オーバヘッド生成終端回路は、ＯＰＵオーバヘッドを用いることを特徴とする請求項１〜３の何れか１つに記載の無瞬断切替装置。
【請求項５】
前記フレーム位相情報は、
ＯＰＵオーバヘッドに格納されているマルチフレーム情報および／またはＯＴＮフレームのフレーム同期パターンに格納されているマルチフレーム情報とすることを特徴とする請求項１〜４の何れか１つに記載の無瞬断切替装置。
【請求項６】
前記現用系光トランスポンダのオーバヘッド生成終端回路、および前記予備系光トランスポンダのオーバヘッド生成終端回路を監視して、オーバヘッドの受信処理によってエラーが発生したか否かを検出し、エラーが発生したことを検出した場合には、エラーを検出した系とは異なる系を選択する選択指示を出力する制御回路と、
前記現用系光トランスポンダと前記予備系光トランスポンダに送信するクライアント信号を配分する第１の光カプラと、
前記選択指示に基づいて、前記現用系光トランスポンダから入力される受信クライアント信号、または前記予備系光トランスポンダから入力される受信クライアント信号を選択する第２の光カプラと、
をさらに備えることを特徴とする請求項２〜５の何れか１つに記載の無瞬断切替装置。
【発明の詳細な説明】
【技術分野】
【０００１】
本発明は、光伝送路を用いたネットワークに関するものであり、特に、データを瞬断させることなく２重化された光伝送路を切り替える無瞬断切替装置に関するものである。
【背景技術】
【０００２】
通信ネットワークを構成する場合、工事や障害発生時でも通信を中断させることがないように伝送路を２重化しておくことがある。２重化された伝送路は、別々の経路で引かれるため、経路長の違いによって伝播遅延が生じる。光伝送路を用いた光通信ネットワークの場合、送信側で同一の信号を２つの光伝送路に送信しても、伝播遅延によって受信側に到着するそれぞれの信号の位相は異なってしまう。そのため、データを瞬断させることなく現在使用している光伝送路から異なる光伝送路に切り替える場合には、伝播遅延によって生じた位相をそろえた後に、光伝送路を切り替える必要がある。
【０００３】
データを瞬断させることなく光伝送路を切り替える従来技術として、たとえば、特許文献１がある。特許文献１に記載の従来の無瞬断切替装置は、自系受信装置（現用系受信装置）と他系受信装置（予備系受信装置）とを備え、現用系受信装置と予備系受信装置とが２重化された光伝送路からのデータをそれぞれ受信する。現用系受信装置と予備系受信装置とは同じ構成となっている。
【０００４】
現用系受信装置の位相検出回路は、現用系受信装置に入力された信号から受信位相を検出して、位相情報を自装置の位相制御回路と予備系受信装置の位相制御回路とに出力する。予備系受信装置の位相制御回路は、予備系受信装置に入力された信号から受信位相を検出して、位相情報を自装置の位相制御回路と現用系受信装置の位相制御回路とに出力する。
【０００５】
現用系受信装置の回線遅延メモリは現用系受信装置に入力された受信データを先頭フレームから記憶し、予備系受信装置の回線遅延メモリは予備系受信装置に入力された受信データを先頭フレームから記憶している。現用系受信装置の位相制御回路は自装置の位相検出回路および予備系受信装置の位相検出回路から入力された位相情報に基づいて自装置の回線遅延メモリからフレームを読み出す位相を決定して回線遅延メモリからフレームを読み出す。予備系受信装置の位相制御回路は自装置の位相検出回路および予備系受信装置の位相検出回路から入力された位相情報に基づいて自装置の回線遅延メモリからフレームを読み出す位相を決定して回線遅延メモリからフレームを読み出す。
【０００６】
このように従来の無瞬断切替装置は、現用系受信装置および予備系受信装置を同一回路で構成して、自装置の位相情報と相手装置の位相情報とに基づいて自装置の回線遅延メモリからフレームを読み出す位相を決定して、それぞれが受信したフレームの位相をそろえた後に、現用系受信装置から予備系受信装置、または予備系受信装置から現用系受信装置への切り替えを行うようにしているので、フレームの欠落や重複を抑制した無瞬断切り替えを行うことができる。
【０００７】
【特許文献１】特許第３４３４７８１号公報
【発明の開示】
【発明が解決しようとする課題】
【０００８】
しかしながら、上記従来技術の無瞬断切替装置は、無瞬断切り替えを行うために、現用系および予備系の２つの光伝送路に対応して現用系受信装置と予備系受信装置、すなわち同一機能を備えた２台の受信装置を備えなければならないので、装置コストが高くなるという問題があった。
【０００９】
また、光通信ネットワークによって構築されたシステム全てが、必ずしも運用上光伝送路の切り替えが必要とは限らない。すなわち、工事の時だけ現用系および予備系の光伝送路によって２重化して無瞬断切り替えを行い、運用時には現用系だけを用いて通信を行い、伝送路の２重化を行わないシステムもある。
【００１０】
しかしながら、工事時に無瞬断切り替えを行わなければならないため、上記従来技術の無瞬断切替装置を用いなければならず、装置コストが高くなるという問題があった。
【００１１】
この発明は上記に鑑みてなされたもので、無瞬断切り替えが必要な光伝送路に用いる装置コストを低減して、経済性の高い無瞬断切替装置を得ることを目的とする。
【課題を解決するための手段】
【００１２】
上述した課題を解決し、目的を達成するために、本発明にかかる無瞬断切替装置は、クライアント信号をＯＴＮフレームにマッピングして光伝送路を用いて通信を行う光トランスポンダを２重化して無瞬断切り替えを行う無瞬断切替装置において、前記光トランスポンダは、他系の光トランスポンダとのインタフェース機能を有し、無瞬断切り替えを行う際に他系の光トランスポンダと接続されるインタフェースコネクタと、前記クライアント信号を前記ＯＴＮフレームのクライアント領域にマッピングするとともに、第１の選択回路によって選択されたＯＴＮフレームからクライアント信号を抽出するマッピング回路と、このマッピング回路によってクライアント信号がマッピングされたＯＴＮフレームにオーバヘッドを付加するとともに、自系が用いる前記光伝送路から受信したＯＴＮフレームにオーバヘッドの受信処理を施してフレーム位相情報を抽出するオーバヘッド生成終端回路と、このオーバヘッド生成終端回路によってオーバヘッドの受信処理が施されたＯＴＮフレームを記憶するメモリと、外部から入力される切替指示、自系のフレーム位相情報、および他系から入力されるフレーム位相情報に基づいて前記メモリに記憶されているＯＴＮフレームを読み出す位相を制御する位相制御回路と、前記切替指示に基づいて自系のメモリから読み出されたＯＴＮフレーム、または他系のメモリから読み出されたＯＴＮフレームを選択する前記第１の選択回路と、前記切替指示に基づいて自系のオーバヘッド終端回路によってオーバヘッドが付加されたＯＴＮフレーム、または他系のオーバヘッド終端回路によってオーバヘッドが付加されたＯＴＮフレームを前記光伝送路に送信するＯＴＮフレームとして選択する第２の選択回路と、を備えることを特徴とする。
【発明の効果】
【００１３】
この発明にかかる無瞬断切替装置によれば、光トランスポンダに、インタフェースコネクタによって他系と自系とを接続し、位相制御回路が、外部から入力される切替指示、自系のフレーム位相情報、および他系のフレーム位相情報に基づいて自系が受信したＯＴＮフレームの位相を他系が受信したＯＴＮフレームの位相に整合させ、第１の選択回路が、自系が受信したＯＴＮフレーム、または他系が受信したＯＴＮフレームを選択するようにしているので、運用時には１つの光トランスポンダによって通信を行い、光伝送路の移転か必要なときだけ２つの光トランスポンダを接続して無瞬断切り替えを行うことができ、装置コストを低減することができる。
【発明を実施するための最良の形態】
【００１４】
以下に、この発明にかかる無瞬断切替装置の実施の形態を図面に基づいて詳細に説明する。なお、この実施の形態によりこの発明が限定されるものではない。
【００１５】
実施の形態１．
図１〜図７を用いてこの発明の実施の形態１を説明する。図１は、この発明にかかる実施の形態１の無瞬断切替装置が適用される光通信ネットワークの構成を示す図である。図１に示した光通信ネットワークは、現用系光トランスポンダ１０ａと予備系光トランスポンダ１０ｂとを備えた無瞬断切替装置１ａ，１ｂを備えている。
【００１６】
無瞬断切替装置１ａの現用系光トランスポンダ１０ａと予備系光トランスポンダ１０ｂは、光伝送路２ａ，３ａを介して同一データを無瞬断切替装置１ｂの現用系光トランスポンダ１０ａおよび予備系光トランスポンダ１０ｂに送信し、光伝送路２ｂ，３ｂを介して無瞬断切替装置２ｂの現用系光トランスポンダ１０ａと予備系光トランスポンダ１０ｂから送信された同一データを受信して、光伝送路２ｂ，３ｂの経路長差によって生じる位相差を吸収して位相をそろえた後に、光伝送路２ａ，２ｂと光伝送路３ａ，３ｂとを切り替える。なお、以後、光伝送路２ａ，２ｂを現用系伝送路２、光伝送路３ａ，３ｂを予備系伝送路３とすることがある。
【００１７】
図２は、無瞬断切替装置１ａ，１ｂが扱うＯＴＮ（Optical Transport Network）フレーム（以下、伝送フレームとする）の構成を示す図である。図２に示した伝送フレームは、ＩＴＵ−Ｔ  Ｇ．７０９勧告に示されるフレームであり、フレーム同期パターン、ＯＴＵ（Optical channel Transport Unit）オーバヘッド、ＯＤＵ（Optical channel Data Unit）オーバヘッド、ＯＰＵ（Optical channel Payload Unit）オーバヘッド、クライアント信号領域、およびＦＥＣ（Forward Error Correction）で構成される。
【００１８】
フレーム同期パターンには、受信側でフレームの先頭を識別するため予め定められた固定パターンが格納される。ＯＴＵオーバヘッド、ＯＤＵオーバヘッドおよびＯＰＵオーバヘッドには光伝送路の保守運用に必要な監視制御情報が格納される。クライアント信号領域には、クライアント信号がマッピングされる。ＦＥＣには、誤り訂正のためのデータパターンが格納される。
【００１９】
図１に示した無瞬断切替装置１ａ，１ｂは同じ機能を備えている。図３に示した無瞬断切替装置１ａの構成を示すブロック図を参照して、無瞬断切替装置の機能を説明する。無瞬断切替装置１ａは、現用系光伝送路２に対応する現用系光トランスポンダ１０ａと、予備系光伝送路３に対応する予備系光トランスポンダ１０ｂとを備えている。現用系光トランスポンダ１０ａと予備系光トランスポンダ１０ｂとの構成は同じであるので、現用系光トランスポンダ１０ａの機能のみを説明する。
【００２０】
現用系光トランスポンダ１０ａは、クライアント信号ＩＦ回路１０１ａ、マッピング回路１０２ａ、ＯＰＵ生成終端回路１０３ａ、選択回路１０４ａ（特許請求の範囲でいうところと第２の選択回路）、選択回路１０９ａ（特許請求の範囲でいうところの第１の選択回路）、ＯＰＵ生成終端回路１０３ａ、光送受信器１０６ａ、位相制御回路１０８ａ、メモリ１０７ａ、およびインタフェースコネクタ１１０ａを備えている。
【００２１】
インタフェースコネクタ１１０ａは、予備系光トランスポンダ１０ｂとのインタフェースを備えており、予備系光トランスポンダ１０ｂのインタフェースコネクタ１１０ｂに接続される。
【００２２】
クライアント信号ＩＦ回路１０１ａは、送信クライアント信号を受信し、受信した送信クライアント信号をトランスポンダ内信号に変換してマッピング回路１０２ａに出力する。また、クライアント信号ＩＦ回路１０１ａは、マッピング回路１０２ａから入力されるトランスポンダ内信号のクライアント信号を変換して受信クライアント信号として出力する。
【００２３】
マッピング回路１０２ａは、クライアント信号ＩＦ回路１０１ａから入力されるトランスポンダ内信号のクライアント信号を図２に示した伝送フレームのクライアント領域に格納してＯＰＵ生成終端回路１０３ａに出力する。また、マッピング回路１０２ａは、選択回路１０９ａから入力された伝送フレームのクライアント領域に格納されているクライアント信号を抽出してクライアント信号ＩＦ回路１０１ａに出力する。
【００２４】
ＯＰＵ生成終端回路１０３ａは、マッピング回路１０２ａから入力された伝送フレームにＯＰＵオーバヘッドを付加する。ＯＰＵ生成終端回路１０３ａは、ＯＰＵオーバヘッドを付加した伝送フレームを、選択回路１０４ａと、インタフェースコネクタ１１０ａ，１１０ｂを介して予備系光トランスポンダ１０ｂの選択回路１０４ｂとに出力する。
【００２５】
ＯＰＵ生成終端回路１０３ａは、ＯＴＵ／ＯＤＵ生成終端回路１０５ａから入力された伝送フレームに対してＯＰＵオーバヘッドの受信処理を行う。ＯＰＵ生成終端回路１０３ａは、ＯＰＵオーバヘッドの受信処理を行った伝送フレームをメモリ１０７ａに記憶させる。
【００２６】
また、ＯＰＵ生成終端回路１０３ａは、ＯＰＵオーバヘッドからＯＰＵフレーム位相情報を抽出して位相制御回路１０８ａと、インタフェースコネクタ１１０ａ，１１０ｂを介して予備系光トランスポンダ１０ｂの位相制御回路１０８ｂとに出力する。ＯＰＵフレーム位相情報には、ＯＰＵオーバヘッド内に格納されたマルチフレーム情報として、ＩＴＵ−Ｔ  Ｇ．７０９勧告に示されているバーチャルコンカチネーション用のマルチフレーム情報を用いる。
【００２７】
選択回路１０４ａは、図示していない上位装置から入力される切替指示（切替開始指示および切替終了指示）に基づいて自装置のＯＰＵ生成終端回路１０３ａから入力されるＯＰＵオーバヘッドが付加された伝送フレームか、インタフェースコネクタ１１０ａ，１１０ｂを介して入力される予備系光トランスポンダ１０ｂのＯＰＵ生成終端回路１０３ｂから入力されるＯＰＵオーバヘッドが付加された伝送フレームかを選択する。選択回路１０４ａは、選択したＯＰＵオーバヘッドが付加された伝送フレームをＯＴＵ／ＯＤＵ生成終端回路１０５ａに出力する。
【００２８】
ＯＴＵ／ＯＤＵ生成終端回路１０５ａは、選択回路１０４ａから入力されたＯＰＵオーバヘッドが付加された伝送フレームにフレーム同期パターン、ＯＴＵオーバヘッド、ＯＤＵオーバヘッド、およびＦＥＣを付加して光送受信器１０６ａに出力する。また、ＯＴＵ／ＯＤＵ生成終端回路１０５ａは、光送受信器１０６ａから入力される伝送フレームに対してＯＴＵオーバヘッドおよびＯＤＵオーバヘッドの受信処理を施してＯＰＵ生成終端回路１０３ａに出力する。
【００２９】
光送受信器１０６ａは、ＯＴＵ／ＯＤＵ生成終端回路１０５ａから入力される伝送フレームを光信号の伝送フレームに変換して光伝送路２ａに出力する。また、光送受信器１０６ａは、光伝送路３ａから入力される光信号の伝送フレームを電気信号（トランスポンダ内信号）の伝送フレームに変換してＯＴＵ／ＯＤＵ生成終端回路１０５ａに出力する。
【００３０】
位相制御回路１０８ａは、上位装置からの切替指示、自装置のＯＰＵ生成終端回路１０３ａから入力されるＯＰＵフレーム位相情報、およびインタフェースコネクタ１１０ａ，１１０ｂを介して入力される予備系光トランスポンダ１０ｂのＯＰＵ生成終端回路１０３ｂからのＯＰＵフレーム位相情報に基づいてメモリ１０７ａに記憶されている伝送フレームの読み出し位相を制御する。
【００３１】
メモリ１０７ａは、ＯＰＵ生成終端回路１０３ａから入力される伝送フレームを記憶する。メモリ１０７ａは、位相制御回路１０８ａに制御されて記憶した伝送フレームを自装置の選択回路１０９ａと、インタフェースコネクタ１１０ａ，１１０ｂを介して予備系光トランスポンダ１０ｂの選択回路１０９ｂとに出力する。
【００３２】
選択回路１０９ａは、上位装置から入力される切替指示に基づいて、メモリ１０７ａから入力される伝送フレームか、インタフェースコネクタ１１０ａ，１１０ｂを介して入力される予備系光トランスポンダ１０ｂのメモリ１０７ｂから入力される伝送フレームかを選択する。選択回路１０９ａは、選択した伝送フレームをマッピング回路１０２ａに出力する。
【００３３】
つぎに、この発明にかかる実施の形態１の無瞬断切替装置の動作を説明する。この発明にかかる実施の形態１の無瞬断切替装置は、現用系伝送路２によって通信を行う運用時の動作と、たとえば、敷設ルートなどの工事など、一旦現用系伝送路２を切断するなどの人為的な理由が生じた場合の切り替え動作（現用系伝送路から予備系伝送路への切り替え、および予備系伝送路から現用系伝送路への切り替え）とがある。
【００３４】
まず、無瞬断切替装置１ａ，１ｂの運用時の動作を説明する。運用時は、無瞬断切替装置１ａ，１ｂには現用系光トランスポンダ１０ａのみが実装されている。無瞬断切替装置１ａ，１ｂには、予備系光トランスポンダ１０ｂを実装する無瞬断作業用スロットが備えられており、運用時には予備系光トランスポンダ１０ｂは実装されていない。無瞬断切替装置１ａ，１ｂは、現用系光トランスポンダ１０ａによって現用系伝送路２を用いて相互通信を行う。また、運用時には、選択回路１０４ａはＯＰＵ生成終端回路１０３ａから入力されるＯＰＵオーバヘッドが付加された伝送フレームを選択し、選択回路１０９ａはメモリ１０７ａから入力される伝送フレームを選択するように上位装置から設定されている。位相制御回路１０８ａは、ＯＰＵ生成終端回路１０３ａのＯＰＵフレーム位相情報に基づいて位相制御を行うように上位装置から設定されている。
【００３５】
まず、現用系光トランスポンダ１０ａの送信処理動作を説明する。送信クライアント信号を受信すると、クライアント信号ＩＦ回路１０１ａは、送信クライアント信号を光トランスポンダ内信号に変換してマッピング回路１０２ａに出力する。
【００３６】
マッピング回路１０２ａは、クライアント信号ＩＦ回路１０１ａから入力されたトランスポンダ内信号のクライアント信号を図２に示した伝送フレームのクライアント領域に格納してＯＰＵ生成終端回路１０３ａに出力する。
【００３７】
ＯＰＵ生成終端回路１０３ａは、マッピング回路１０２ａから入力された伝送フレームにＯＰＵオーバヘッドを付加して、選択回路１０４ａとインタフェースコネクタ１１０ａとに出力する。運用時であるので予備系光トランスポンダ１０ｂは実装されていない。したがって、ＯＰＵオーバヘッドが付加された伝送フレームは選択回路１０４ａだけに出力されたことになる。
【００３８】
切替指示によってＯＰＵ生成終端回路１０３ａから入力される伝送フレームを選択するように設定されているので、選択回路１０４ａは、ＯＰＵ生成終端回路１０３ａから入力される伝送フレームをＯＴＵ／ＯＤＵ生成終端回路１０５ａに出力する。
【００３９】
ＯＴＵ／ＯＤＵ生成終端回路１０５ａは、選択回路１０４ａを介して入力されたＯＰＵ生成終端回路１０３ａからの伝送フレームにフレーム同期パターン、ＯＴＵオーバヘッド、ＯＤＵオーバヘッド、およびＦＥＣを付加して光送受信器１０６ａに出力する。
【００４０】
光送受信器１０６ａは、ＯＴＵ／ＯＤＵ生成終端回路１０５ａから入力される伝送フレームを光信号の伝送フレームに変換して現用系伝送路２に出力する。
【００４１】
このように現用系光トランスポンダ１０ａは、現用系光トランスポンダ１０ａのクライアント信号ＩＦ回路１０１ａが受信した送信クライアント信号から伝送フレームを生成して送信する。
【００４２】
つぎに、運用時の現用系光トランスポンダ１０ａの受信処理動作を説明する。現用系伝送路２から光信号の伝送フレームを受信すると、光送受信器１０６ａは、光信号の伝送フレームをトランスポンダ内信号の伝送フレームに変換してＯＴＵ／ＯＤＵ生成終端回路１０５ａに出力する。
【００４３】
ＯＴＵ／ＯＤＵ生成終端回路１０５ａは、光送受信器１０６ａから入力される伝送フレームに対してＯＴＵオーバヘッドおよびＯＤＵオーバヘッドの受信処理を施してＯＰＵ生成終端回路１０３ａに出力する。
【００４４】
ＯＰＵ生成終端回路１０３ａは、ＯＴＵ／ＯＤＵ生成終端回路１０５ａから入力された伝送フレームに対してＯＰＵオーバヘッドの受信処理を施す。ＯＰＵ生成終端回路１０３ａは、ＯＰＵオーバヘッドの受信処理を行った伝送フレームをメモリ１０７ａに記憶させる。また、ＯＰＵ生成終端回路１０３ａは、ＯＰＵオーバヘッドからＯＰＵフレーム位相情報を抽出して位相制御回路１０８ａとインタフェースコネクタ１１０ａとに出力する。運用時であるので予備系光トランスポンダ１０ｂは実装されていない。したがって、ＯＰＵフレーム位相情報は選択回路１０９ａだけに出力されたことになる。
【００４５】
位相制御回路１０８ａは、ＯＰＵ生成終端回路１０３ａから入力されるＯＰＵフレーム位相情報に基づいてメモリ１０７ａを制御して、メモリ１０７ａから記憶されている伝送フレームを読み出して選択回路１０９ａに出力する。
【００４６】
切替指示によってメモリ１０７ａから入力される伝送フレームを選択するように設定されているので、選択回路１０９ａはメモリ１０７ａからの伝送フレームを選択してマッピング回路１０２ａに出力する。
【００４７】
マッピング回路１０２ａは、選択回路１０９ａから入力された伝送フレームのクライアント領域に格納されているクライアント信号を抽出してクライアント信号ＩＦ回路１０１ａに出力する。
【００４８】
クライアント信号ＩＦ回路１０１ａは、マッピング回路１０２ａから入力されるトランスポンダ内信号のクライアント信号を変換して受信クライアント信号として出力する。
【００４９】
現用系光トランスポンダ１０ａは、現用系光トランスポンダ１０ａの光送受信器１０６ａが受信した伝送フレーム、すなわち現用系伝送路２を介して送信された伝送フレームから受信クライアント信号を生成して出力する。
【００５０】
つぎに、図４〜図７のフローチャートを参照して、この発明にかかる実施の形態１の無瞬断切替装置の切り替え動作を説明する。まず、図４のフローチャートを参照して、現用系伝送路２から予備系伝送路３に切り替える際の送信処理動作を説明する。
【００５１】
敷設ルートなどの工事など、一旦現用系伝送路２を切断するなどの人為的な理由が生じた場合、工事者は、現用系光トランスポンダ１０ａのみが実装されている無瞬断切替装置１ａ，１ｂの無瞬断作業用スロットに予備系光トランスポンダ１０ｂを実装して、インタフェースコネクタ１１０ａとインタフェースコネクタ１１０ｂとを接続する。工事者は、図示していない上位装置を用いて現用系伝送路２から予備系伝送路３への切替開始指示を入力し、上位装置が、切替開始指示を無瞬断切替装置１ａ，１ｂに出力する。
【００５２】
現用系伝送路２から予備系伝送路３への切替開始指示を検出すると、予備系光トランスポンダ１０ｂは、現用系光トランスポンダ１０ａからのデータを選択して伝送フレームを生成し、生成したフレームを予備系伝送路３に出力する（ステップＳ１００，Ｓ１１０）。
【００５３】
具体的には、現用系伝送路２から予備系伝送路３への切替開始指示によって予備系光トランスポンダ１０ｂの選択回路１０４ｂは、インタフェースコネクタ１１０ａ，１１０ｂを介して入力される現用系光トランスポンダ１０ａのＯＰＵ生成終端回路１０３ａからの伝送フレームを選択するように設定される。したがって、選択回路１０４ｂは、現用系光トランスポンダ１０ａのＯＰＵ生成終端回路１０３ａからの伝送フレームをＯＴＵ／ＯＤＵ生成終端回路１０５ｂに出力する。
【００５４】
ＯＴＵ／ＯＤＵ生成終端回路１０５ｂは、選択回路１０４ｂから入力される現用系光トランスポンダ１０ａのＯＴＵ／ＯＤＵ生成終端回路１０５ａで生成された伝送フレームにフレーム同期パターン、ＯＴＵオーバヘッド、ＯＤＵオーバヘッド、およびＦＥＣを付加して光送受信器１０６ｂに出力する。
【００５５】
光送受信器１０６ｂは、ＯＴＵ／ＯＤＵ生成終端回路１０５ｂから入力される伝送フレームを光信号の伝送フレームに変換して予備系伝送路３に出力する。
【００５６】
現用系光トランスポンダ１０ａの選択回路１０４ａは、現用系伝送路２から予備系伝送路３への切替開始指示を受けても運用時と同様に自装置のＯＰＵ生成終端回路１０３ａの伝送フレームを選択する。すなわち、現用系伝送路２から予備系伝送路３への切替開始指示を受けた場合も、現用系光トランスポンダ１０ａは、上述した運用時の送信処理の動作を行う。したがって、現用系伝送路２と予備系伝送路３とに出力される伝送フレームのクライアント領域とＯＰＵオーバヘッドのデータは、現用系光トランスポンダ１０ａのマッピング回路１０２ａおよびＯＰＵ生成終端回路１０３ａによって格納された同一データになる。
【００５７】
後述する現用系伝送路２から予備系伝送路３への切り替えの際の受信処理において、現用系伝送路２と予備系伝送路３との経路長によって生じる位相差が吸収されたことを確認した後に、工事者は、上位装置を用いて現用系伝送路２から予備系伝送路３への切替終了指示を入力し、上位装置が、切替終了指示を無瞬断切替装置１ａ，１ｂに出力する。
【００５８】
現用系伝送路２から予備系伝送路３への切替終了指示を検出すると、予備系光トランスポンダ１０ｂは、自装置のクライアント信号ＩＦ回路１０１ｂに入力されたデータを選択して伝送フレームを生成し、生成した伝送フレームを予備系伝送路３に出力する（ステップＳ１２０，Ｓ１３０）。
【００５９】
具体的には、現用系伝送路２から予備系伝送路３への切替終了指示によって予備系光トランスポンダ１０ｂの選択回路１０４ｂは、自装置のＯＰＵ生成終端回路１０３ｂからの伝送フレームを選択するように設定される。しがたって、選択回路１０４ｂは、予備系光トランスポンダ１０ｂのＯＰＵ生成終端回路１０３ｂからの伝送フレームをＯＴＵ／ＯＤＵ生成終端回路１０５ｂに出力する。
【００６０】
ＯＴＵ／ＯＤＵ生成終端回路１０５ｂは、選択回路１０４ｂから入力される予備系光トランスポンダ１０ｂのＯＴＵ／ＯＤＵ生成終端回路１０５ｂで生成された伝送フレームにフレーム同期パターン、ＯＴＵオーバヘッド、ＯＤＵオーバヘッド、およびＦＥＣを付加して光送受信器１０６ｂに出力する。
【００６１】
光送受信器１０６ｂは、ＯＴＵ／ＯＤＵ生成終端回路１０５ｂから入力される伝送フレームを光信号の伝送フレームに変換して予備系伝送路３に出力する。
【００６２】
つぎに、図５のフローチャートを参照して、現用系伝送路２から予備系伝送路３への切り替えの際の受信処理動作を説明する。
【００６３】
現用系伝送路２から予備系伝送路３への切替開始指示を検出すると、予備系光トランスポンダ１０ｂは、現用系光トランスポンダ１０ａからのデータを選択して受信クライアント信号を生成し、生成した受信クライアント信号を出力する（ステップＳ２００，Ｓ２１０）。
【００６４】
具体的には、現用系伝送路２から予備系伝送路３への切替開始指示によって予備系光トランスポンダ１０ｂの選択回路１０９ｂは、インタフェースコネクタ１１０ａ，１１０ｂを介して入力される現用系光トランスポンダ１０ａのメモリ１０７ａから読み出された伝送フレームを選択するように設定される。したがって、選択回路１０９ｂは、現用系光トランスポンダ１０ａのメモリ１０７ａから読み出された伝送フレームをマッピング回路１０２ｂに出力する。
【００６５】
マッピング回路１０２ｂは、メモリ１０７ａから読み出された伝送フレーム、すなわち現用系伝送路２からの伝送フレームのクライアント領域に格納されているクライアント信号を抽出してクライアント信号ＩＦ回路１０１ｂに出力する。
【００６６】
クライアント信号ＩＦ回路１０１ｂは、マッピング回路１０２ｂから入力されるトランスポンダ内信号のクライアント信号を変換して受信クライアント信号として出力する。
【００６７】
現用系光トランスポンダ１０ａの選択回路１０９ａは、現用系伝送路２から予備系伝送路３への切替開始指示を受けても運用時と同様に自装置の自装置のメモリ１０７ａから読み出された伝送フレームを選択する。したがって、現用系伝送路２から予備系伝送路３への切替開始指示を受けた場合も、上述した運用時の受信処理によって動作しており、現用系光トランスポンダ１０ａと予備系光トランスポンダ１０ｂは、現用系伝送路２からの伝送フレームから生成したクライアント信号を出力する。
【００６８】
一方、予備系光トランスポンダ１０ｂの光送受信器１０６ｂ、ＯＴＵ／ＯＤＵ生成終端回路１０５ｂ、位相制御回路１０８ｂ、およびメモリ１０７ｂによって、予備系光伝送路３からの伝送フレームは、現用系光伝送路２の伝送フレームの受信位相に整合させて読み出される（ステップＳ２２０）。
【００６９】
具体的には、予備系光トランスポンダ１０ｂの光送受信器１０６ｂは、予備系光伝送路３から受信した光信号の伝送フレームをトランスポンダ内信号の伝送フレームに変換してＯＴＵ／ＯＤＵ生成終端回路１０５ｂに出力する。
【００７０】
ＯＴＵ／ＯＤＵ生成終端回路１０５ｂは、光送受信器１０６ｂから入力される伝送フレームに対してＯＴＵオーバヘッドおよびＯＤＵオーバヘッドの受信処理を施してＯＰＵ生成終端回路１０３ｂに出力する。
【００７１】
ＯＰＵ生成終端回路１０３ｂは、ＯＴＵ／ＯＤＵ生成終端回路１０５ｂから入力された伝送フレームに対してＯＰＵオーバヘッドの受信処理を行う。ＯＰＵ生成終端回路１０３ｂは、ＯＰＵオーバヘッドの受信処理を行った伝送フレームをメモリ１０７ｂに記憶させる。また、ＯＰＵ生成終端回路１０３ｂは、ＯＰＵオーバヘッドからＯＰＵフレーム位相情報を抽出して位相制御回路１０８ｂとインタフェースコネクタ１１０ｂとに出力する。
【００７２】
インタフェースコネクタ１１０ｂに出力されたＯＰＵフレーム位相情報はインタフェースコネクタ１１０ａを介して現用系光トランスポンダ１０ａの位相制御回路１０８ａに入力される。現用系光トランスポンダ１０ａは、現用系伝送路２から予備系光伝送路３への切替指示を受けても運用時と同様の動作を行い、位相制御回路１０８ａは自装置のＯＰＵ生成終端回路１０３ａからのＯＰＵフレーム位相情報に基づいてメモリ１０７ａを制御する。
【００７３】
予備系光トランスポンダ１０ｂの位相制御回路１０８ｂは、現用系伝送路２から予備系光伝送路３への切替指示によって、自装置のＯＰＵフレーム位相情報と現用系光トランスポンダ１０ａのＯＰＵフレーム位相情報とに基づいてメモリ１０７ｂに記憶されている伝送フレームの読み出し位相を制御するように設定されている。したがって、位相制御回路１０８ｂは、自装置のＯＰＵフレーム位相情報と現用系光トランスポンダ１０ａのＯＰＵフレーム位相情報とに基づいてメモリ１０７ｂに記憶されている伝送フレームの読み出し位相を制御する。具体的には、位相制御回路１０８ｂは、メモリ１０７ｂからの伝送フレームの読み出し位相を現用系光トランスポンダ１０ａのメモリ１０７ａから読み出されている現用系の受信位相と整合させる。換言すれば、位相制御回路１０８ｂは、現用系伝送路２と予備系伝送路３との経路長によって生じる位相差を吸収するようにメモリ１０７ｂの読み出しタイミングを調整する。
【００７４】
現用系伝送路２から予備系伝送路３への切替終了指示を検出すると、予備系光トランスポンダ１０ｂは、自装置のメモリ１０７ｂから読み出されたデータを選択して受信クライアント信号を生成し、生成した受信クライアント信号を出力する（ステップＳ２３０，Ｓ２４０）。
【００７５】
具体的には、現用系伝送路２から予備系伝送路３への切替終了指示によって予備系光トランスポンダ１０ｂの選択回路１０９ｂは、自装置のメモリ１０７ｂから読み出された伝送フレームを選択するように設定される。したがって、選択回路１０９ｂは、予備系光トランスポンダ１０ｂのメモリ１０７ｂから読み出された伝送フレームをマッピング回路１０２ｂに出力する。
【００７６】
マッピング回路１０２ｂは、メモリ１０７ｂから読み出された伝送フレーム、すなわち、位相制御回路１０８ｂによって現用系伝送路２と予備系伝送路３との経路長によって生じる位相差が吸収された予備系伝送路３からの伝送フレームのクライアント領域に格納されているクライアント信号を抽出してクライアント信号ＩＦ回路１０１ｂに出力する。
【００７７】
クライアント信号ＩＦ回路１０１ｂは、マッピング回路１０２ｂから入力されるトランスポンダ内信号のクライアント信号を変換して受信クライアント信号として出力する。
【００７８】
このように現用系伝送路２から予備系伝送路３に切り替える場合、予備系光トランスポンダ１０ｂの位相制御回路１０８ｂが、現用系光トランスポンダ１０ａのＯＰＵフレーム位相情報と自装置のＯＰＵフレーム位相情報とに基づいて予備系伝送路３から受信した伝送フレームの位相を現用系光トランスポンダ１０ａが受信している現用系伝送路３からの伝送フレームの位相に合わせた後に、選択回路１０９ｂによって受信クライアント信号を生成する伝送フレームを現用系伝送路２から受信した伝送フレームから予備系伝送路３から受信した伝送フレームに切り替えるようにしているので、無瞬断で現用系伝送路２から予備系伝送路３に切り替えることができる。
【００７９】
つぎに、図６のフローチャートを参照して、予備系伝送路３から現用系伝送路２に切り替える際の送信処理動作を説明する。
【００８０】
現用系伝送路２の工事が終了すると、工事者は、上位装置を用いて予備系伝送路３から現用系伝送路２への切替開始指示を入力し、上位装置が、切替開始指示を無瞬断切替装置１ａ，１ｂに出力する。
【００８１】
予備系伝送路３から現用系伝送路２への切替開始指示を検出すると、現用系光トランスポンダ１０ａは、予備系光トランスポンダ１０ｂからのデータを選択して伝送フレームを生成し、生成したフレームを現用系伝送路２に出力する（ステップＳ３００，Ｓ３１０）。
【００８２】
具体的には、予備系伝送路３から現用系伝送路２への切替開始指示によって現用系光トランスポンダ１０ａの選択回路１０４ａは、インタフェースコネクタ１１０ａ，１１０ｂを介して入力される予備系光トランスポンダ１０ｂのＯＰＵ生成終端回路１０３ｂからの伝送フレームを選択するように設定される。したがって、選択回路１０４ａは、予備系光トランスポンダ１０ｂのＯＰＵ生成終端回路１０３ｂからの伝送フレームをＯＴＵ／ＯＤＵ生成終端回路１０５ａに出力する。
【００８３】
ＯＴＵ／ＯＤＵ生成終端回路１０５ａは、選択回路１０４ａから入力される予備系光トランスポンダ１０ｂのＯＰＵ生成終端回路１０３ｂによって生成された伝送フレームにフレーム同期パターン、ＯＴＵオーバヘッド、ＯＤＵオーバヘッド、およびＦＥＣを付加して光送受信器１０６ａに出力する。
【００８４】
光送受信器１０６ａは、ＯＴＵ／ＯＤＵ生成終端回路１０５ａから入力される伝送フレームを光信号の伝送フレームに変換して現用系伝送路２に出力する。
【００８５】
予備系光トランスポンダ１０ｂの選択回路１０４ｂは、予備系伝送路３から現用系伝送路２への切替開始指示を受けても、ＯＰＵ生成終端回路１０３ｂの伝送フレームを選択する。したがって、現用系伝送路２と予備系伝送路３とに出力される伝送フレームのクライアント領域とＯＰＵオーバヘッドのデータは、予備系光トランスポンダ１０ｂのマッピング回路１０２ｂおよびＯＰＵ生成終端回路１０３ｂによって格納された同一データになる。
【００８６】
予備系伝送路３から現用系伝送路２への切替終了指示を検出すると、現用系光トランスポンダ１０ａは、自装置のクライアント信号ＩＦ回路１０１ａに入力されたデータを選択して伝送フレームを生成し、生成した伝送フレームを現用系伝送路３に出力する（ステップＳ３２０，Ｓ３３０）。
【００８７】
具体的には、予備系伝送路３から現用系伝送路２への切替終了指示によって現用系光トランスポンダ１０ａの選択回路１０４ａは、自装置のＯＰＵ生成終端回路１０３ａからの伝送フレームを選択するように設定される。しがたって、選択回路１０４ａは、現用系光トランスポンダ１０ａのＯＰＵ生成終端回路１０３ａからの伝送フレームをＯＴＵ／ＯＤＵ生成終端回路１０５ａに出力する。
【００８８】
ＯＴＵ／ＯＤＵ生成終端回路１０５ａは、選択回路１０４ａから入力される自装置のＯＴＵ／ＯＤＵ生成終端回路１０５ａで生成された伝送フレームにフレーム同期パターン、ＯＴＵオーバヘッド、ＯＤＵオーバヘッド、およびＦＥＣを付加して光送受信器１０６ａに出力する。
【００８９】
光送受信器１０６ａは、ＯＴＵ／ＯＤＵ生成終端回路１０５ａから入力される伝送フレームを光信号の伝送フレームに変換して現用系伝送路２に出力する。
【００９０】
つぎに、図７のブローチャートを参照して、予備系伝送路３から現用系伝送路２への切り替えの際の受信処理動作について説明する。
【００９１】
予備系伝送路３から現用系伝送路２への切替開始指示を検出すると、現用系光トランスポンダ１０ａは、予備系光トランスポンダ１０ｂからのデータを選択して受信クライアント信号を生成し、生成した受信クライアント信号を出力する（ステップＳ４００，Ｓ４１０）。
【００９２】
具体的には、予備系伝送路３から現用系伝送路２への切替開始指示によって現用系光トランスポンダ１０ａの選択回路１０９ａは、インタフェースコネクタ１１０ａ，１１０ｂを介して入力される予備系光トランスポンダ１０ｂのメモリ１０７ｂから読み出された伝送フレームを選択するように設定される。したがって、選択回路１０９ａは、予備系光トランスポンダ１０ｂのメモリ１０７ｂから読み出された伝送フレームをマッピング回路１０２ａに出力する。
【００９３】
マッピング回路１０２ａは、メモリ１０７ｂから読み出された伝送フレーム、すなわち、予備系伝送路３からの伝送フレームのクライアント領域に格納されているクライアント信号を抽出してクライアント信号ＩＦ回路１０１ａに出力する。
【００９４】
クライアント信号ＩＦ回路１０１ａは、マッピング回路１０２ａから入力されるトランスポンダ内信号のクライアント信号を変換して受信クライアント信号として出力する。
【００９５】
予備系光トランスポンダ１０ｂの選択回路１０９ｂ、予備系伝送路３から現用系伝送路２への切替開始指示を受けても自装置のメモリ１０７ｂから読み出された伝送フレームを選択する。したがって、現用系光トランスポンダ１０ａと予備系光トランスポンダ１０ｂは、予備系伝送路３からの伝送フレームから生成したクライアント信号を出力する。
【００９６】
一方、現用系光トランスポンダ１０ａの光送受信器１０６ａ、ＯＴＵ／ＯＤＵ生成終端回路１０５ａ、位相制御回路１０８ａ、およびメモリ１０７ａによって、現用系光伝送路２からの伝送フレームは、予備系光伝送路３からの伝送フレームの受信位相に整合させて読み出される（ステップＳ４２０）。
【００９７】
具体的には、現用系光トランスポンダ１０ａの光送受信器１０６ａは、現用系光伝送路２から受信した光信号の伝送フレームをトランスポンダ内信号の伝送フレームに変換してＯＴＵ／ＯＤＵ生成終端回路１０５ａに出力する。
【００９８】
ＯＴＵ／ＯＤＵ生成終端回路１０５ａは、光送受信器１０６ａから入力される伝送フレームに対してＯＴＵオーバヘッドおよびＯＤＵオーバヘッドの受信処理を施してＯＰＵ生成終端回路１０３ａに出力する。
【００９９】
ＯＰＵ生成終端回路１０３ａは、ＯＴＵ／ＯＤＵ生成終端回路１０５ａから入力された伝送フレームに対してＯＰＵオーバヘッドの受信処理を行う。ＯＰＵ生成終端回路１０３ａは、ＯＰＵオーバヘッドの受信処理を行った伝送フレームをメモリ１０７ａに記憶させる。また、ＯＰＵ生成終端回路１０３ａは、ＯＰＵオーバヘッドからＯＰＵフレーム位相情報を抽出して位相制御回路１０８ａとインタフェースコネクタ１１０ａとに出力する。
【０１００】
インタフェースコネクタ１１０ａに出力されたＯＰＵフレーム位相情報はインタフェースコネクタ１１０ｂを介して予備系光トランスポンダ１０ｂの位相制御回路１０８ｂに入力される。予備系光トランスポンダ１０ｂの位相制御回路１０８ｂは、予備系光伝送路３から現用系伝送路２への切替指示を受けても自装置のＯＰＵ生成終端回路１０３ａからのＯＰＵフレーム位相情報に基づいてメモリ１０７ａを制御する。
【０１０１】
現用系光トランスポンダ１０ａの位相制御回路１０８ａは、予備系光伝送路３から現用系伝送路２への切替指示によって、自装置のＯＰＵフレーム位相情報と予備系光トランスポンダ１０ｂのＯＰＵフレーム位相情報とに基づいてメモリ１０７ａに記憶されている伝送フレームの読み出し位相を制御するように設定されている。したがって、位相制御回路１０８ａは、自装置のＯＰＵフレーム位相情報と現用系光トランスポンダ１０ａのＯＰＵフレーム位相情報とに基づいてメモリ１０７ａに記憶されている伝送フレームの読み出し位相を制御する。
【０１０２】
予備系伝送路３から現用系伝送路２への切替終了指示を検出すると、現用系光トランスポンダ１０ａは、自装置のメモリ１０７ａから読み出されたデータを選択して受信クライアント信号を生成し、生成した受信クライアント信号を出力する（ステップＳ４３０，Ｓ４４０）。
【０１０３】
具体的には、予備系伝送路３から現用系伝送路２への切替終了指示によって現用系光トランスポンダ１０ａの選択回路１０９ａは、自装置のメモリ１０７ａから読み出された伝送フレームを選択するように設定される。したがって、選択回路１０９ａは、現用系光トランスポンダ１０ａのメモリ１０７ａから読み出された伝送フレームをマッピング回路１０２ａに出力する。
【０１０４】
マッピング回路１０２ａは、メモリ１０７ａから読み出された伝送フレーム、すなわち、位相制御回路１０８ａによって現用系伝送路２と予備系伝送路３との経路長によって生じる位相差が吸収された現用系伝送路２からの伝送フレームのクライアント領域に格納されているクライアント信号を抽出してクライアント信号ＩＦ回路１０１ａに出力する。
【０１０５】
クライアント信号ＩＦ回路１０１ａは、マッピング回路１０２ａから入力されるトランスポンダ内信号のクライアント信号を変換して受信クライアント信号として出力する。
【０１０６】
このように予備系伝送路３から現用系伝送路２に切り替える場合、現用系光トランスポンダ１０ａの位相制御回路１０８ａが、予備系光トランスポンダ１０ｂのＯＰＵフレーム位相情報と自装置のＯＰＵフレーム位相情報とに基づいて現用系伝送路２から受信した伝送フレームの位相を予備系光トランスポンダ１０ｂが受信している予備系伝送路３からの伝送フレームの位相に合わせた後に、選択回路１０９ａによって受信クライアント信号を生成する伝送フレームを予備系伝送路３から受信した伝送フレームから現用系伝送路２から受信した伝送フレームに切り替えるようにしているので、無瞬断で予備系伝送路３から現用系伝送路２に切り替えることができる。
【０１０７】
工事者は、予備系伝送回路３から現用系伝送回路２に切り替えが終了すると、無瞬断切替装置１ａ，１ｂの無瞬断作業用スロットから予備系光トランスポンダ１０ｂを抜き取る。
【０１０８】
以上説明したように、この実施の形態１では、位相制御回路１０８ａが、外部から入力される切替指示、自系のフレーム位相情報、および他系のフレーム位相情報に基づいて自系が受信したＯＴＮフレームの位相を他系が受信したＯＴＮフレームの位相に整合させ、選択回路１０９ａが、自系が受信したＯＴＮフレーム、または他系が受信したＯＴＮフレームを選択する現用系光トランスポンダ１０ａに、インタフェースコネクタ１１０ａを備え、現用系伝送路２と予備系伝送路３とを切り替える必要があるときだけ現用系光トランスポンダ１０ａと同一構成の予備系光トランスポンダ１０ｂをインタフェースコネクタ１１０ａ，１１０ｂを用いて接続するようにしているので、１つの予備系光トランスポンダ１０ｂを複数の現用系光トランスポンダ１０ａに対して用いることが可能となり、装置コストを抑制して、高信頼な光通信ネットワークを運用することができる。
【０１０９】
また、イーサネット（登録商標）やＳＤＨ（Synchronous Digital Hierarchy）信号などさまざまなクライアント信号を収容するネットワークでは、一般に、クライアント信号種別ごとに光トランスポンダを配置しているが、この実施の形態１の予備系光トランスポンダ１０ｂは、現用系光トランスポンダ１０ａと同一構成となっているので、クライアント信号種別に依存することなく、装置コストを抑制して、柔軟性のある光通信ネットワークを運用することができる。
【０１１０】
実施の形態２．
図８を用いてこの発明の実施の形態２を説明する。この発明にかかる実施の形態２の無瞬断切替装置が適用される光通信ネットワークは、図１に示した実施の形態１の無瞬断切替装置１ａ、１ｂの代わりに、現用系光トランスポンダ４０ａと予備系光トランスポンダ４０ｂとを有する無瞬断切替装置４ａ，４ｂを備えている。現用系光トランスポンダ４０ａと予備系光トランスポンダ４０ｂは、無瞬断切替装置４ａ，４ｂに予め実装されている。
【０１１１】
無瞬断切替装置４ａ，４ｂは同じ機能を備えている。図８に示した無瞬断切替装置４ａの構成を示すブロック図を参照して、この発明にかかる実施の形態２の無瞬断切替装置の機能を説明する。無瞬断切替装置４ａは、現用系光トランスポンダ４０ａと予備系光トランスポンダ４０ｂとを備えている。現用系光トランスポンダ４０ａは、図３に示した実施の形態１の現用系光トランスポンダ１０ａから位相制御回路１０８ａとメモリ１０７ａとインタフェースコネクタ１１０ａが削除されており、予備系光トランスポンダ４０ｂは、図３に示した実施の形態１の予備系光トランスポンダ４０ｂからインタフェースコネクタ１１０ｂが削除されて、メモリ１１１ｂが追加されている。なお、図３に示した実施の形態１の現用系光トランスポンダ１０ａおよび予備系光トランスポンダ１０ｂと同じ機能を持つ構成部分には同一符号を付し、重複する説明は省略する。なお、選択回路１０９ａが特許請求の範囲でいうところの第１の選択回路であり、選択回路１０４ａが特許請求の範囲で言うところの第２の選択回路であり、選択回路１０９ｂが特許請求の範囲でいうところの第３の選択回路であり、選択回路１０４ｂが特許請求の範囲でいうところの第４の選択回路である。
【０１１２】
位相制御回路１０８ｂは、上位装置からの切替指示、自装置のＯＰＵ生成終端回路１０３ａから入力されるＯＰＵフレーム位相情報、および現用系光トランスポンダ１０ａのＯＰＵ生成終端回路１０３ａからのＯＰＵフレーム位相情報に基づいてメモリ１０７ｂ，１１１ｂに記憶されている伝送フレームの読み出し位相を制御する。
【０１１３】
メモリ１１１ｂは、現用系光トランスポンダ４０ａのＯＰＵ生成終端回路１０３ａから入力される伝送フレームを記憶する。メモリ１１１ｂは、位相制御回路１０８ｂに制御されて記憶した伝送フレームを選択回路１０９ｂに出力する。
【０１１４】
選択回路１０９ｂは、上位装置から入力される切替指示に基づいて、メモリ１０７ｂから入力される伝送フレームか、メモリ１１１ｂから入力される伝送フレームかを選択する。選択回路１０９ｂは、選択した伝送フレームをマッピング回路１０２ｂと、現用系光トランスポンダ４０ａの選択回路１０９ａとに出力する。
【０１１５】
選択回路１０９ａは、上位装置から入力される切替指示に基づいて、ＯＰＵ生成終端回路１０３ａからの伝送フレームか、選択回路１０９ｂからの伝送フレームかを選択する。選択回路１０９ａは、予備系光トランスポンダ４０ｂが実装されていない場合にＯＰＵ生成終端回路１０３ａからの伝送フレームを選択するように設定される。
【０１１６】
つぎに、この発明にかかる実施の形態２の無瞬断切替装置の切り替え動作を説明する。なお、実施の形態１と同じ動作については、詳細な説明を省略する。
【０１１７】
まず、運用時の送信処理動作を説明する。運用時には、現用系光トランスポンダ４０ａの選択回路１０４ａおよび予備系光トランスポンダ４０ｂの選択回路１０４ｂは、現用系光トランスポンダ４０ａのＯＰＵ生成終端回路１０３ａからの伝送フレームを選択するように設定されている。
【０１１８】
マッピング回路１０２ａ，１０２ｂは、クライアント信号ＩＦ回路１０１ａ，１０１ｂによってトランスポンダ内信号に変換された送信クライアント信号を伝送フレームのクライアント領域に格納し、ＯＰＵ生成終端回路１０３ａ，１０３ｂは、マッピング回路１０２ａ，１０２ｂから入力される伝送フレームにＯＰＵオーバヘッドを付加して選択回路１０４ａ，１０４ｂに出力する。
【０１１９】
選択回路１０４ａ，１０４ｂは、ＯＰＵ生成終端回路１０３ａから入力された伝送フレームを選択してＯＴＵ／ＯＤＵ生成終端回路１０５ａ，１０５ｂに出力する。ＯＴＵ／ＯＤＵ生成終端回路１０５ａ，１０５ｂは、選択回路１０４ａ，１０４ｂから入力される伝送フレーム、すなわち、現用系光トランスポンダ４０ａによってクライアント信号が格納され、ＯＰＵフレームが付加された伝送フレームにフレーム同期パターン、ＯＴＵオーバヘッド、ＯＤＵオーバヘッド、およびＦＥＣを付加して伝送フレームを完成し、光送受信器１０６ａ，１０６ｂが、トランスポンダ内信号の伝送フレームを光信号の伝送フレームに変換して現用系伝送路２、予備系伝送路３に送信する。
【０１２０】
このように運用時には、現用系伝送路２と予備系伝送路３とに出力される伝送フレームのクライアント領域とＯＰＵオーバヘッドのデータは、現用系光トランスポンダ４０ａのマッピング回路１０２ａおよびＯＰＵ生成終端回路１０３ａによって格納された同一データになる。
【０１２１】
つぎに、運用時の受信処理動作について説明する。運用時には、選択回路１０９ｂはメモリ１１１ｂに記憶されている伝送フレームを選択し、選択回路１０９ａは、選択回路１０９ｂから入力される伝送フレーム、すなわちメモリ１１１ｂに記憶されている伝送フレームを選択するように設定されている。
【０１２２】
光送受信器１０６ａ，１０６ｂは、現用系伝送路２、予備系伝送路３から受信した光信号の伝送フレームをトランスポンダ内信号の伝送フレームに変換し、ＯＴＵ／ＯＤＵ生成終端回路１０５ａ，１０５ｂは、伝送フレームに対してＯＴＵオーバヘッドおよびＯＤＵオーバヘッドの受信処理を施し、ＯＰＵ生成終端回路１０３ａ，１０３ｂは、伝送フレームに対してＯＰＵオーバヘッドの受信処理を施す。
【０１２３】
ＯＰＵ生成終端回路１０３ａ，１０３ｂは、ＯＰＵオーバヘッドの受信処理を施した伝送フレームをメモリ１０７ａ，１１１ｂに記憶させるとともに、ＯＰＵフレーム位相情報を位相制御回路１０８ｂに出力する。また、ＯＰＵ生成終端回路１０３ａは、選択回路１０９ａに伝送フレームを出力する。
【０１２４】
選択回路１０９ｂは、メモリ１１１ｂに記憶されている伝送フレームを選択してマッピング回路１０２ｂと選択回路１０９ａとに出力し、選択回路１０９ａは、選択回路１０９ｂから入力される伝送フレームをマッピング回路１０２ａに出力する。すなわち、マッピング回路１０２ａ，１０２ｂには、メモリ１１１ｂに記憶されているＯＰＵ生成終端回路１０３ａによってＯＰＵオーバヘッドの受信処理が施された伝送フレームが入力される。
【０１２５】
マッピング回路１０２ａ，１０２ｂは、伝送フレームからクライアント信号を抽出し、クライアント信号ＩＦ回路１０１ａ，１０１ｂは、トランスポンダ内信号のクライアント信号を変換して受信クライアント信号として出力する。
【０１２６】
このように運用時には、現用系伝送路２から受信した伝送フレームからクライアント信号が抽出される。
【０１２７】
つぎに、現用系伝送路２から予備系伝送路３に切り替える動作を説明する。なお、送信処理動作については、図４のフローチャートに示した現用系伝送路２から予備系伝送路３に切り替える際の送信処理動作と同じ動作であるので、ここではその説明を省略する。
【０１２８】
現用系伝送路２から予備系伝送路３への切替開始指示を検出すると、位相制御回路１０８ｂは、自装置のＯＰＵ生成終端回路１０３ｂから入力されるＯＰＵフレーム位相情報と現用系光トランスポンダ４０ａのＯＰＵ生成終端回路１０３ａから入力されるＯＰＵフレーム位相情報とに基づいてメモリ１０７ｂに記憶されている伝送フレームの読み出し位相を制御する。具体的には、位相制御回路１０８ｂは、メモリ１０７ｂからの伝送フレームの読み出し位相をメモリ１１１ｂから読み出されている現用系伝送路２から受信した伝送フレームの受信位相と整合させる。
【０１２９】
現用系伝送路２から予備系伝送路３への切替終了指示を検出すると、選択回路１０９ｂは、メモリ１０７ｂに記憶されている伝送フレームを選択してマッピング回路１０２ｂと選択回路１０９ａとに出力する。これにより、マッピング回路１０２ａ，１０２ｂには、予備系伝送路３から受信した伝送フレームの位相を現用系伝送路２から受信した伝送フレームの位相にあわせた伝送フレームが入力され、無瞬断で現用系伝送路３から予備系伝送路２に切り替えることができる。
【０１３０】
つぎに、予備系伝送路３から現用系伝送路２に切り替える動作を説明する。なお、送信処理動作については、図６のフローチャートに示した予備系伝送路３から現用系伝送路２に切り替える際の送信処理動作と同じ動作であるので、ここではその説明を省略する。
【０１３１】
予備系伝送路３から現用系伝送路２への切替開始指示を検出すると、位相制御回路１０８ｂは、自装置のＯＰＵ生成終端回路１０３ｂから入力されるＯＰＵフレーム位相情報と現用系光トランスポンダ４０ａのＯＰＵ生成終端回路１０３ａから入力されるＯＰＵフレーム位相情報とに基づいてメモリ１１１ｂに記憶されている伝送フレームの読み出し位相を制御する。具体的には、位相制御回路１０８ｂは、メモリ１１１ｂからの伝送フレームの読み出し位相をメモリ１０７ｂから読み出されている予備系伝送路３から受信した伝送フレームの受信位相と整合させる。
【０１３２】
予備系伝送路３から現用系伝送路２への切替終了指示を検出すると、選択回路１０９ｂは、メモリ１１１ｂに記憶されている伝送フレームを選択してマッピング回路１０２ｂと選択回路１０９ａとに出力する。これにより、マッピング回路１０２ａ，１０２ｂには、現用系伝送路２から受信した伝送フレームの位相を予備系伝送路３から受信した伝送フレームの位相にあわせた伝送フレームが入力され、無瞬断で予備系伝送路３から現用系伝送路２に切り替えることができる。
【０１３３】
以上説明したように、この実施の形態２では、現用系光トランスポンダ４０ａには、無瞬断切り替えに必要な最低限の機能として選択回路１０４ａ，１０９ａのみを追加して、予備系光トランスポンダ４０ｂに現用系光トランスポンダ４０ａが受信したＯＴＮフレームを記憶するメモリ１１１ｂ、自系が受信したＯＴＮフレームを記憶するメモリ１０７ｂ、および位相制御回路１０８を備え、現用系光トランスポンダ４０ａと予備系光トランスポンダ４０ｂとを現用系光トランスポンダ４０ａのＯＰＵフレーム位相情報およびＯＴＮフレームのデータの交絡信号のみのやり取りとするようにしている。これにより、無瞬断切り替えをサポートする必要のない装置に現用系光トランスポンダを用いてもコスト、および回路規模がほとんど増加することがなくなり、無瞬断切り替えをサポートする必要のない装置と、無瞬断切り替えをサポートする必要のある装置とで同じ現用系光トランスポンダを用いることができる。
【０１３４】
また、無瞬断切り替えを必要とするクライアント信号だけに予備系伝送路３に対応する予備系光トランスポンダ４０ｂを実装すればよく、トータルの装置実装規模が小さくなり、光通信ネットワークによるシステムのコストを安価にすることができる。
【０１３５】
実施の形態３．
図９を用いてこの発明の実施の形態３を説明する。この発明にかかる実施の形態３の無瞬断切替装置が適用される光通信ネットワークは、図１に示した実施の形態１の無瞬断切替装置１ａ，１ｂの代わりに、無瞬断切替装５ａ，５ｂを備えている。
【０１３６】
無瞬断切替装置５ａ，５ｂは同じ機能を備えている。図８に示した無瞬断切替装置５ａの構成を示すブロック図を参照して、無瞬断切替装置の機能を説明する。無瞬断切替装置５ａは、図７に示した実施の形態２の無瞬断切替装置４ａに制御回路５０と、光カプラ５１，５２とが追加されている。図７に示した実施の形態２の無瞬断切替装置４ａと同じ構成部分には同一符号を付し、重複する説明は省略する。
【０１３７】
制御回路５０は、光送受信器１０６ａ，１０６ｂ、ＯＴＵ／ＯＤＵ生成終端回路１０５ａ，１０５ｂ、およびＯＰＵ生成終端回路１０３ａ，１０３ｂの受信処理によってエラーが発生したか否かを監視し、監視結果に基づいて光カプラ５２を制御する。
【０１３８】
光カプラ５１は、送信クライアント信号を現用系光トランスポンダ４０ａのクライアント信号ＩＦ回路１０１ａと、予備系光トランスポンダ４０ｂのクライアント信号ＩＦ回路１０１ｂとに分配する。
【０１３９】
光カプラ５２は、制御回路５０によって制御され、現用系光トランスポンダ４０ａのクライアント信号ＩＦ回路１０１ａから入力される伝送フレームか、予備系光トランスポンダ４０ｂのクライアント信号ＩＦ回路１０１ｂから入力されるクライアント信号を選択し、選択したクライアント信号を受信クライアント信号として出力する。
【０１４０】
つぎに、この発明にかかる実施の形態３の無瞬断切替装置５ａ，５ｂの動作を説明する。なお、運用時および切り替え時の動作は実施の形態２と同じ動作となるので、ここではその説明を省略し、制御回路５０が光カプラ５２を制御する動作のみを説明する。
【０１４１】
通常、制御回路５０は、現用系光トランスポンダ４０ａのクライアント信号ＩＦ回路１０１ａから入力されるクライアント信号を選択する選択信号を光カプラ５２に出力している。
【０１４２】
制御回路５０は、光送受信器１０６ａ、ＯＴＵ／ＯＤＵ生成終端回路１０５ａ、およびＯＰＵ生成終端回路１０３ａが受信処理によってエラーを検出したか否かを監視する。
【０１４３】
何らかの原因で現用系伝送路２、また予備系伝送路３が故障したとする。現用系伝送路２、または予備系伝送路３が故障したことにより、光送受信器１０６ａ，１０６ｂ、ＯＴＵ／ＯＤＵ生成終端回路１０５ａ，１０５ｂ、またはＯＰＵ生成終端回路１０３ａ，１０３ｂの受信処理によってエラーが発生する。
【０１４４】
ここで、現用系伝送路２を用いて通信を行っているとする。制御回路５０は、受信処理によって現用系光トランスポンダ４０ａの受信処理にエラーが発生したことを検出すると、予備系光トランスポンダ４０ｂのクライアント信号ＩＦ回路１０１ｂから入力されるクライアント信号を選択する選択信号を光カプラ５２に出力する。また、制御回路５０は、エラーが発生したことを上位装置に通知する。
【０１４５】
光カプラ５２は、予備系光トランスポンダ４０ｂのクライアント信号ＩＦ回路１０１ｂから入力されるクライアント信号を選択して受信クライアント信号として出力する。
【０１４６】
現用系伝送路２を用いて通信を行っている場合に、予備系光トランスポンダ４０ｂの受信処理にエラーが発生したことを検出すると、制御回路５０は、エラーが発生したことを上位装置に通知する。
【０１４７】
以上説明したように、制御回路５０が、光送受信器１０６ａ，１０６ｂ、ＯＴＵ／ＯＤＵ生成終端回路１０５ａ，１０５ｂ、およびＯＰＵ生成終端回路１０３ａ，１０３ｂの受信処理によってエラーが発生したか否かを監視して、現在使用している系にエラーが発生した場合には、光カプラ５２を切り替えてエラーが発生していない系を選択して、上位装置にエラーが発生したことを通知するようにしているので、光伝送路や光トランスポンダに障害が発生した場合でも、システムを停止させることなく、伝送路を無瞬断で切り替えることができる。
【０１４８】
なお、実施の形態１〜３では、ＯＰＵフレーム位相情報（ＯＰＵオーバヘッドに格納されているマルチフレーム情報）によって位相制御回路が位相調整を行うようにしたが、位相調整にもちいる情報はこれに限るものではない。たとえば、フレーム同期パターンのマルチフレーム情報を用いてもよいし、ＯＴＵオーバヘッド、ＯＤＵオーバヘッド、ＯＰＵオーバヘッドに独自のマルチフレーム情報を定義して用いるようにしてもよい。もちろん、これらの情報を組み合わせて位相調整を行うようにしてもよい。
【産業上の利用可能性】
【０１４９】
以上のように、この発明にかかる無瞬断切替装置は、光伝送路を用いたネットワークに有用であり、特に、２重化された光伝送路を無瞬断で切り替える必要のある信頼性が求められるネットワークシステムに適している。
【図面の簡単な説明】
【０１５０】
【図１】この発明にかかる実施の形態１の無瞬断切替装置が適用される光通信ネットワークの構成を示す図である。
【図２】図１に示した無瞬断切替装置が扱うＯＴＮフレームの構成を示す図である。
【図３】図１に示した無瞬断切替装置の構成を示すブロック図である。
【図４】この発明にかかる実施の形態１の無瞬断切替装置の動作を説明するためのフローチャートである。
【図５】この発明にかかる実施の形態１の無瞬断切替装置の動作を説明するためのフローチャートである。
【図６】この発明にかかる実施の形態１の無瞬断切替装置の動作を説明するためのフローチャートである。
【図７】この発明にかかる実施の形態１の無瞬断切替装置の動作を説明するためのフローチャートである。
【図８】この発明にかかる実施の形態２の無瞬断切替装置の構成を示すブロック図である。
【図９】この発明にかかる実施の形態２の無瞬断切替装置の構成を示すブロック図である。
【符号の説明】
【０１５１】
１ａ，１ｂ，４ａ，４ｂ，５ａ，５ｂ  無瞬断切替装置
２ａ，２ｂ，３ａ，３ｂ  光伝送路
１０１ａ，１０１ｂ  クライアント信号ＩＦ回路
１０２ａ，１０２ｂ  マッピング回路
１０３ａ，１０３ｂ  ＯＰＵ生成終端回路
１０４ａ，１０４ｂ，１０９ａ，１０９ｂ  選択回路
１０５ａ，１０５ｂ  ＯＴＵ／ＯＤＵ生成終端回路
１０６ａ，１０６ｂ  光送受信器
１０７ａ，１０７ｂ，１１１ｂ  メモリ
１０８ａ，１０８ｂ  位相制御回路
１１０ａ，１１０ｂ  インタフェースコネクタ
５０  制御回路
５１，５２  光カプラ
【図１】
2006041921.tif 000003
【図２】
2006041921.tif 000004
【図３】
2006041921.tif 000005
【図４】
2006041921.tif 000006
【図５】
2006041921.tif 000007
【図６】
2006041921.tif 000008
【図７】
2006041921.tif 000009
【図８】
2006041921.tif 000010
【図９】
2006041921.tif 000011